【事件の表示】
　平成　１年特許願第２６５３９８号「テレビジョン受像機」拒絶査定に対する審判事件［平成　３年　５月２９日出願公開、特開平　３−１２６３７８］について、次のとおり審決する。
【結　論】
　本件審判の請求は、成り立たない。
【理　由】
　１．本願発明
　本願は、平成１年10月12日の出願であって、その発明（以下「本願発明」という。）は、補正された明細書及び図面の記載からみて、その特許請求の範囲（請求項の数１）の請求項１に記載された次に掲げるとおりのものである。
「入力映像信号を輝度信号と色信号に分離するＹ／Ｃ分離手段と、
　前記Ｙ／Ｃ分離手段において分離される輝度信号の垂直輪郭をＹ／Ｃ分離とともに補正する垂直輪郭補正手段と、
　前記垂直輪郭補正手段においてＹ／Ｃ分離とともに垂直輪郭補正された輝度信号と色信号と別々に入力された輝度信号とを切換える切換回路と、
　前記垂直輪郭補正手段において垂直輪郭が補正された信号又は色信号と別々に入力された輝度信号とを前記切換回路により切換えて入力された輝度信号の水平輪郭を補正する水平輪郭補正手段と、
　前記垂直輪郭補正手段から出力される垂直輪郭補正量と水平輪郭補正手段から出力される水平輪郭補正量をユーザーコントロールにより制御するための画質制御手段と、前記画質制御手段からの画質コントロール信号を第１の画質制御電圧として前記水平輪郭補正手段の画質コントロール端子に入力するとともに前記第１の画質制御電圧に応じて変化する第２の画質制御電圧を前記垂直輪郭補正手段の画質コントロール端子に入力するように構成された画質制御電圧供給回路とを備え、ユーザーコントロールで変化させた画質コントロール信号を前記画質制御電圧供給回路により前記垂直輪郭補正手段と水平輪郭補正手段に供給して、水平輪郭補正量の制御と同時に画質コントロール信号に対応して垂直輪郭補正量が可変に制御されるようにしたことを特徴とするテレビジョン受像機」
　２．刊行物１，２，３に記載された発明
　これに対して、当審の拒絶理由（第２回）に引用された、本願の出願の日前に頒布された刊行物１，２，３は次に掲げるものである。
　刊行物１：実願昭６２−７５７９５号（実開昭63-185378号公報）のマイクロフィルム
　刊行物２：特開昭６４−１３８８７号公報
　刊行物３：特開昭６３−１５５８７１号公報
　（刊行物１）
　上記刊行物１には、次に掲げる事項(1)(2)からなるテレビジョン受像機（以下「刊行物１の発明」という。）が記載されている。
　(1)ＮＴＳＣ方式のコンポジットビデオ信号（複合カラー映像信号）を輝度信号と搬送色信号に分離する際には、Ｃ−Ｙ分離のために波形応答の劣化が生じるという欠点もある。このような劣化のの対策として輪郭補正回路による補正を行っている（3頁8行から13行）
　(2)第３図は従来の映像信号処理回路９ブロック図で、１は既に分離された輝度信号と搬送色信号とを入力する分離入力回路、２はコンポジットビデオ信号を入力して輝度信号と搬送色信号とに分離するＣ−Ｙ分離回路、３は２組の信号を切り換えるスイッチ、（中略）、４は切換えスイッチ３により選択された輝度信号の輪郭を補正する輪郭補正回路である。（第3図及び3頁16行ないし4頁6行）
　（刊行物２）
　上記刊行物２には、次に掲げる垂直輪郭補正回路が記載されている。
　「Ｙ／Ｃ分離に使用される１Ｈ遅延回路12,13の出力を使用して垂直輪郭補正信号を生成する」（4頁左下欄2行から4行）
　（刊行物３）
　上記刊行物３には、次に掲げる事項(1)ないし(4)からなる輪郭強調回路が記載されている。
　(1)カラーテレビジョン受像機における輪郭強調回路に係り、特に水平方向・垂直方向の輪郭強調を同程度の割合で施し、より自然な輪郭強調の行える回路（1頁右下欄3行から6行）
　(2)従来の家庭用TVでは、前面パネルのシャープネス（画質）調整つまみは水平方向のみの輪郭強調補正量を変えているだけである。そして、垂直方向の輪郭強調は行なっていないものと外部では調整できずに補正量固定になっているものがあるのが現状である。（1頁右下欄下から4行ないし2頁左上欄2行）
　(3)入力映像信号は、入力端子１０より水平輪郭抽出回路２０及び垂直輪郭抽出回路４０に入力される。そして、水平輪郭抽出回路２０の出力は水平可変利得回路３０に入力され利得可変され加算回路６０に出力される。また垂直輪郭抽出回路４０中の１ＨＤＬ４０を通過した信号も加算回路に原信号として出力される。そして垂直輪郭抽出回路４０の出力は垂直可変利得回路５０に入力され利得可変され加算回路へ出力される。加算回路６０では、この原信号と垂直・水平輪郭信号を加え合わせて出力信号として出力端子９０へ出力している。
　次に、水平輪郭抽出回路２０及び垂直輪郭抽出回路４０の出力はそれぞれ利得制御回路７０に入力される。この利得制御回路７０では、１つの外部調整つまみ８０で、水平・垂直輪郭補正量を同時にかつ同程度変化させられるように制御している。（2頁右上欄11行から同頁左下欄6行）
　(4)第３図にこの利得制御回路７０の具体的実施例を示す。外部調整用電圧源８０から供給される電圧を抵抗分割してそれぞれトランジスタ７０１、７０２のベースに加える。そしてエミッタ出力をそのまま水平・垂直利得可変回路へ利得制御電圧として供給する。
　従って外部調整つまみを１つ変化させることで水平利得制御電圧と垂直利得制御電圧を同時にある割合で調整できるので、自然な輪郭強調が行える。（2頁左下欄末行から同頁右下欄9行）
　３．本願発明と刊行物１の発明との対比
　刊行物１の発明における「Ｃ−Ｙ分離回路２」は、コンポジットビデオ信号を入力して輝度信号と搬送色信号とに分離するから、本願発明における「Ｙ／Ｃ分離手段１２」に相当する。
　なお、刊行物１の発明における「スイッチ３」は、Ｙ／Ｃ分離された輝度信号と色信号と別々に入力された輝度信号とを切換えているから、本願発明における「切換回路１５」に対応し、また、刊行物１の発明における「輪郭補正回路４」は、スイッチ３から出力された輝度信号の輪郭を補正しているから、本願発明における「輪郭補正手段７」に対応する。
　すると、本願発明と刊行物１の発明とは、次に掲げるテレビジョン受像機で一致し、下記に掲げる(1)(2)(3)の点で相違する。
「入力映像信号を輝度信号と色信号に分離するＹ／Ｃ分離手段と、
　Ｙ／Ｃ分離された前記輝度信号と色信号と別々に入力された輝度信号とを切換える切換回路と、
　前記切換回路により切換えて入力された輝度信号の輪郭を補正する輪郭補正手段とを備えたテレビジョン受像機」
　(1)上記「Ｙ／Ｃ分離手段」が、本願発明においては、分離される輝度信号の垂直輪郭を補正する「垂直輪郭補正手段」を備えているのに対して、刊行物１の発明においては、このような垂直輪郭補正手段を備えていない点
　(2)上記「輪郭補正手段」が、本願発明においては、「水平輪郭補正手段」であるのに対して、刊行物１の発明においては、輪郭補正回路ではあるが、この輪郭補正回路が、水平の輪郭補正を行うのか垂直の輪郭補正を行うのか明記されていない点
　(3)上記「輝度信号の輪郭補正」が、本願発明においては、水平輪郭補正の制御と同時に垂直輪郭補正を可変に制御する「画質制御手段（画質制御電圧供給回路）」でなされるのに対して、刊行物１の発明においては、このような手段（回路）が記載されていない点
　４．本願発明と刊行物１の発明との相違点(1)(2)(3)についての検討
　(1)従来技術においてＹ／Ｃ分離後の輝度信号は垂直方向の解像度が劣化すること（例えば、当審の拒絶理由（第１回）に引用した特開昭５５−７０１２０号公報、2頁左上欄下から5行ないし同頁右上欄5行を参照）は自明であるところ、Ｙ／Ｃ分離後に輝度信号の垂直輪郭補正を行うことは、刊行物２に記載されているから、刊行物１の発明における「Ｙ／Ｃ分離手段」に「垂直輪郭補正手段」を備えさせることは、当業者であれば、適宜なし得ることである。
　(2)輝度信号の輪郭補正には、従来から水平の輪郭補正と垂直の輪郭補正の２種類があるから、輝度信号の輪郭補正を行うに当たって、水平と垂直のいずれか一方又は双方を行うことは、当業者であれば、必要に応じて適宜なし得るところ、Ｙ／Ｃ分離された輝度信号の輪郭補正として、まず、垂直の輪郭補正を行うとすると、その後の輪郭補正は水平の輪郭補正を行うことになるから、上記相違点(1)でも検討したように、Ｙ／Ｃ分離とともに垂直補正を行う場合には、刊行物１の発明における「輪郭補正手段」を「水平輪郭補正手段」とすることは、当業者であれば、適宜なし得ることである。
　(3)輝度信号の輪郭補正は、従来から水平輪郭補正は一般的によく行われており、この水平輪郭補正と同時に垂直輪郭補正を可変に制御することは、刊行物３に記載されているから、刊行物１の発明において、輝度信号の輪郭補正を、水平輪郭補正と同時に垂直輪郭補正を可変に制御する「画質制御手段（画質制御電圧供給回路）」で行うことは、当業者であれば、容易になし得ることである。
　５．むすび
　以上のとおりであるから、本願発明は、刊行物１，２，３に記載された発明に基いて当業者が容易に発明をすることができたものと認められるので、特許法第29条第2項の規定により特許を受けることができない。
　よって、結論のとおり審決する。